(57)【特許請求の範囲】
【請求項１】
被記録媒体に画像を形成する画像形成手段が搭載されて移動走査されるキャリッジと、
このキャリッジの走査方向の側壁面に装着され、前記被記録媒体又は前記被記録媒体の搬送面を検出する光学センサと、を備え、
前記キャリッジの側壁面には前記光学センサの鉛直方向の傾きを規定する少なくとも２個の第１の突起部及び１個の第２の突起部が設けられ、
前記少なくとも２個の第１の突起部が前記被記録媒体の搬送面を基準として同じ高さ位置に、前記第２の突起部は第１の突起部よりも高い位置にそれぞれ配置され、
前記第２の突起部は、前記キャリッジの側壁面からの高さが前記第１の突起部の前記キャリッジの側壁面からの高さよりも高い第１部分と、この第１部分よりも高さの低い第２部分とを有し、かつ、前記第２部分には前記光学センサを固定する締結部材を装着するネジ孔を有している
ことを特徴とする画像形成装置。
【請求項２】
請求項１に記載の画像形成装置において、前記第２の突起部における第１の部分は弦と弧で形成される弓形の面と、前記キャリッジの側壁面とが平行であり、前記ネジ孔よりも前記第１の突起部から離れた位置に設けられている
ことを特徴とする画像形成装置。
【請求項３】
請求項１又は２に記載の画像形成装置において、２個の前記第１の突起部が配置され、前記第２の突起部から２個の前記第１の突起部までのそれぞれの距離が同じであることを特徴とする画像形成装置。
【請求項４】
請求項１ないし３のいずれかに記載の画像形成装置において、前記光学センサは発光手段及び受光手段を含むセンサ部が板状の保持部材に保持され、前記保持部材の前記センサ部から離れた部分が前記第２の突起部に固定されていることを特徴とする画像形成装置。
【請求項５】
請求項４に記載の画像形成装置において、前記保持部材は前記センサ部の両側部分が前記第１の突起部に当接していることを特徴とする画像形成装置。
【請求項６】
請求項４又は５に記載の画像形成装置において、前記第１の突起部は前記保持部材と当接する部分がＲ形状又は平坦面であることを特徴とする画像形成装置。
【請求項７】
請求項４又は５に記載の画像形成装置において、前記第１の突起部は前記保持部材と当接する先端部分が半球形状であることを特徴とする画像形成装置。
【請求項８】
請求項４又は５に記載の画像形成装置において、前記第１の突起部は前記保持部材と当接する先端部分がテーパ形状であることを特徴とする画像形成装置。
【請求項９】
請求項７又は８に記載の画像形成装置において、前記保持部材には前記第１の突起部の先端部分の一部が入り込む貫通穴が形成されていることを特徴とする画像形成装置。
【請求項１０】
請求項１に記載の画像形成装置において、前記第２の突起部における第１の部分は前記キャリッジの側壁面と平行でないテーパ形状であり、前記ネジ孔よりも前記第１の突起部から離れた位置に設けられていることを特徴とする画像形成装置。
【請求項１１】
被記録媒体に画像を形成する画像形成手段が搭載されて移動走査されるキャリッジにおいて、
このキャリッジの走査方向の側壁面には、この側壁面に装着される前記被記録媒体又は前記被記録媒体の搬送面を検出する光学センサの鉛直方向の傾きを規定する少なくとも２個の第１の突起部及び１個の第２の突起部が設けられ、
前記少なくとも２個の第１の突起部が前記被記録媒体の搬送面を基準として同じ高さ位置に、前記第２の突起部は第１の突起部よりも高い位置にそれぞれ配置され、
前記第２の突起部は、前記キャリッジの側壁面からの高さが前記第１の突起部の前記キャリッジの側壁面からの高さよりも高い第１部分と、この第１部分よりも高さの低い第２部分とを有し、かつ、前記第２部分には前記光学センサを固定する締結部材を装着するネジ孔を有している
ことを特徴とするキャリッジ。
【発明の詳細な説明】
【技術分野】
【０００１】
本発明は画像形成装置及びキャリッジに関し、特に画像形成手段を搭載するキャリッジ及びキャリッジを備える画像形成装置に関する。
【背景技術】
【０００２】
プリンタ、ファクシミリ、複写装置、これらの複合機等の画像形成装置として、例えば、記録液（液体）の液滴を吐出する液体吐出ヘッド（液滴吐出ヘッド）で構成した記録ヘッドを含む液体吐出装置を用いて、媒体（以下「用紙」ともいうが材質を限定するものではなく、また、被記録媒体、記録媒体、転写材、記録紙なども同義で使用する。）を搬送しながら、液体（以下、インクという。）を用紙に付着させて画像形成（記録、印刷、印写、印字も同義語で用いる。）を行なうものがある。
【０００３】
なお、本願において、「画像形成装置」は、紙、糸、繊維、布帛、皮革、金属、プラスチック、ガラス、木材、セラミックス等の媒体に液体を吐出して画像形成を行う装置を意味し、また、「画像形成」とは、文字や図形等の意味を持つ画像を媒体に対して付与することだけでなく、パターン等の意味を持たない画像を媒体に付与すること（単に液滴を吐出して着弾させること）をも意味し、捺染装置や金属配線を形成する装置なども含むものである。また、「インク」とは、画像形成を行うことができる液体であれば特に限定されるものではない。
【０００４】
このような液体吐出方式の画像形成装置において、特に、液滴を吐出する記録ヘッドを搭載したキャリッジを往復移動させて、往路及び復路の双方向で印字を行うようにした場合、印字画像が罫線であるとき、往路と復路で罫線の位置ずれが発生し易いという問題がある。また、異なる色を重ねるときに色重ねずれが発生し易いという問題がある。
【０００５】
そのため、一般的に、インクジェット記録装置などでは、着弾位置ズレ調整用のテストチャートを出力し、ユーザが最適値を選んで入力し、入力された結果に基づいて吐出タイミングの調整などを行うようにすることが行われているが、テストチャートの見方には個人差があり、また、操作に不慣れなためデータ入力ミスの発生などが考えられるので、逆に調整の不具合を招いてしまうことが考えられる。
【０００６】
そこで、従来、特許文献１などに記載されているように、搬送ベルトや媒体の保持搬送部材上にテストパターンを形成し、このテストパターンをキャリッジに設けた光学センサにて読取って着弾位置ずれを補正することが行われている。
【特許文献１】特開２００６−２６４１９４号公報
【０００７】
なお、その他電子写真方式を含めて画像形成装置において光学センサを用いるものとしては、例えば次のようなものがある。
【特許文献２】特開平９−２２６１９８号公報
【特許文献３】特許第３３９７４４１号公報
【特許文献４】特開２００７−１２１９５２号公報
【発明の開示】
【発明が解決しようとする課題】
【０００８】
しかしながら、キャリッジに設けた光学センサで搬送ベルト上にテストパターンを形成して光学センサにて読取る場合、例えば搬送ベルトの色とインクの色の組合せによっては色の差が小さいため正確に読取ることが困難である。そこで、色検出を正確に行うために色ごとに波長を変化させた光源を使用し検出するなどの構成が必要であり、実際上、従来の技術では搬送ベルト上にテストパターンを形成して、これを正確に読取ることはできない。
【０００９】
例えば、搬送ベルトが静電吸着ベルトであって、表面の絶縁層と裏面の中抵抗層とで形成されており、中抵抗層の導電性を得るためにカーボンが練りこまれているような場合、ベルトの外観上の色は黒となることから、色による反射だけでパターンを検出しようとしても黒インクと区別がつかなくなり、パターンを検出することはできない。
【００１０】
そこで、本出願人は、先に、搬送ベルト面上に独立したインク滴で構成されるパターンを形成し、そのインク滴が半球形状になる特性を生かして、単波長の光をインク滴に照射し、パターンが形成されていることによる正反射光量の減衰量を検出することで、パターンの位置検出及び位置ずれの検出を正確に行うことを提案している。
【００１１】
ところで、反射型光学センサを用いて被記録媒体や搬送ベルト表面などの被記録媒体の搬送面（これらを「検出面」という。）を検出する場合、反射型光学センサから検出面に対して垂直な方向で射出光を照射し、反射光を受光するよりも僅かに傾斜させて配置した場合の方が感度が良好であることが判明した。
【００１２】
一方、キャリッジは樹脂による射出成型で形成するのが一般的であるが、射出成型を行う場合、型抜きの関係で、型抜き方向を互いに直角とすることが一般的である。そのため、キャリッジの側壁面に光学センサを取り付け配置するための簡易な構造が必要になる。
【００１３】
本発明は上記の課題に鑑みてなされたものであり、樹脂による射出成型で形成されるキャリッジの側壁面に、簡易な構造で、反射型光学センサを検出面に垂直な方向に対して僅かに角度を持たせて取付けられるようにすることを目的とする。
【課題を解決するための手段】
【００１４】
上記の課題を解決するため、本発明に係る画像形成装置は、
被記録媒体に画像を形成する画像形成手段が搭載されて移動走査されるキャリッジと、
このキャリッジの走査方向の側壁面に装着され、前記被記録媒体又は前記被記録媒体の搬送面を検出する光学センサと、を備え、
前記キャリッジの側壁面には前記光学センサの鉛直方向の傾きを規定する少なくとも２個の第１の突起部及び１個の第２の突起部が設けられ、
前記少なくとも２個の第１の突起部が前記被記録媒体の搬送面を基準として同じ高さ位置に、前記第２の突起部は第１の突起部よりも高い位置にそれぞれ配置され、
前記第２の突起部は、前記キャリッジの側壁面からの高さが前記第１の突起部の前記キャリッジの側壁面からの高さよりも高い第１部分と、この第１部分よりも高さの低い第２部分とを有し、かつ、前記第２部分には前記光学センサを固定する締結部材を装着するネジ孔を有している
構成とした。
【００１５】
ここで、前記第２の突起部における第１の部分は弦と弧で形成される弓形の面と、前記キャリッジの側壁面とが平行であり、前記ネジ孔よりも前記第１の突起部から離れた位置に設けられている構成とできる。
【００１６】
また、２個の前記第１の突起部が配置され、前記第２の突起部から２個の前記第１の突起部までのそれぞれの距離が同じである構成とできる。
【００１７】
また、前記光学センサは発光手段及び受光手段を含むセンサ部が板状の保持部材に保持され、前記保持部材の前記センサ部から離れた部分が前記第２の突起部に固定されている構成とできる。
【００１８】
この場合、前記保持部材は前記センサ部の両側部分が前記第１の突起部に当接している構成とできる。
【００１９】
また、前記第１の突起部は前記保持部材と当接する部分がＲ形状又は平坦面である構成、前記第１の突起部は前記保持部材と当接する先端部分が半球形状である構成、前記第１の突起部は前記保持部材と当接する先端部分がテーパ形状である構成とできる。また、前記保持部材には前記第１の突起部の先端部分の一部が入り込む貫通穴が形成されている構成とできる。
【００２０】
また、前記第２の突起部における第１の部分は前記キャリッジの側壁面と平行でないテーパ形状であり、前記ネジ孔よりも前記第１の突起部から離れた位置に設けられている構成とできる。
【００２１】
本発明に係るキャリッジは、
被記録媒体に画像を形成する画像形成手段が搭載されて移動走査されるキャリッジにおいて、
このキャリッジの走査方向の側壁面には、この側壁面に装着される前記被記録媒体又は前記被記録媒体の搬送面を検出する光学センサの鉛直方向の傾きを規定する少なくとも２個の第１の突起部及び１個の第２の突起部が設けられ、
前記少なくとも２個の第１の突起部が前記被記録媒体の搬送面を基準として同じ高さ位置に、前記第２の突起部は第１の突起部よりも高い位置にそれぞれ配置され、
前記第２の突起部は、前記キャリッジの側壁面からの高さが前記第１の突起部の前記キャリッジの側壁面からの高さよりも高い第１部分と、この第１部分よりも高さの低い第２部分とを有し、かつ、前記第２部分には前記光学センサを固定する締結部材を装着するネジ孔を有している
構成とした。
【発明の効果】
【００２２】
本発明に係る画像形成装置によれば、光学センサの鉛直方向の傾きを規定する少なくとも２個の第１の突起部及び１個の第２の突起部が設けられ、少なくとも２個の第１の突起部が被記録媒体の搬送面を基準として同じ高さ位置に、第２の突起部は第１の突起部よりも高い位置にそれぞれ配置され、第２の突起部は、キャリッジの側壁面からの高さが第１の突起部のキャリッジの側壁面からの高さよりも高い第１部分と、この第１部分よりも高さの低い第２部分とを有し、かつ、第２部分には光学センサを固定する締結部材を装着するネジ孔を有しているので、樹脂による射出成型で形成されるキャリッジの側壁面に、簡易な構造で、反射型光学センサを検出面に垂直な方向に対して僅かに角度を持たせて取付けられるようになる。
【発明を実施するための最良の形態】
【００２３】
以下、本発明の実施の形態について添付図面を参照して説明する。本発明に係る着弾位置ずれ補正方法を実施する本発明に係る画像形成装置の一例の概要について図１ないし図５を参照して説明する。なお、図１は同画像形成装置の全体構成を示す概略構成図、図２は同装置の画像形成部及び副走査搬送部の平面説明図、図３は同じく一部透過状態で示す側面説明図である。
【００２４】
この画像形成装置は、装置本体１の内部（筺体内）に、用紙を搬送しながら画像を形成するための画像形成部（手段）２及び用紙を搬送するための副走査搬送部（手段）３等を有し、装置本体１の底部に設けた給紙カセットを含む給紙部（手段）４から用紙５を１枚ずつ給紙して、副走査搬送部３によって用紙５を画像形成部２に対向する位置で搬送しながら、画像形成部２によって用紙５に液滴を吐出して所要の画像を形成（記録）した後、排紙搬送部（手段）７を通じて装置本体１の上面に形成した排紙トレイ８上に用紙５を排紙する。
【００２５】
また、この画像形成装置は、画像形成部２で形成する画像データ（印刷データ）の入力系として、装置本体１の上部で排紙トレイ８の上方には画像を読み取るための画像読取部（スキャナ部）１１を備えている。この画像読取部１１は、照明光源１３とミラー１４とを含む走査光学系１５と、ミラー１６、１７を含む走査光学系１８とが移動して、コンタクトガラス１２上に載置された原稿の画像の読取りを行い、走査された原稿画像がレンズ１９の後方に配置した画像読取り素子２０で画像信号として読み込まれ、読み込まれた画像信号はデジタル化され画像処理され、画像処理した印刷データを印刷することができる。
【００２６】
ここで、この画像形成装置の画像形成部２は、図２にも示すように、ガイドロッド２１及び図示しないガイドレールでキャリッジ２３を片持ちで主走査方向に移動可能に保持し、主走査モータ２７で駆動プーリ２８Ａと従動プーリ２８Ｂ間に架け渡したタイミングベルト２９を介して主走査方向に移動走査する。
【００２７】
ここで、この画像形成装置の画像形成部２は、図２にも示すように、前側板１０１Ｆと後側板１０１Ｒとの間に横架した主ガイド部材であるキャリッジガイド（ガイドロッド）２１と後ステー１０１Ｂ側に設けた従ガイド部材であるガイドステー２２で、キャリッジ２３を主走査方向に移動可能に保持し、主走査モータ２７で駆動プーリ２８Ａと従動プーリ２８Ｂ間に架け渡したタイミングベルト２９を介して主走査方向に移動走査する。
【００２８】
そして、このキャリッジ２３上には、それぞれブラック（Ｋ）インクを吐出する２個の液滴吐出ヘッドからなる記録ヘッド２４ｋ１、２４ｋ２と、シアン（Ｃ）インク、マゼンタ（Ｍ）インク、イエロー（Ｙ）インクを吐出するそれぞれ１個の液滴吐出ヘッドからなる記録ヘッド２４ｃ、２４ｍ、２４ｙ（色を区別しないとき及び総称するときは「記録ヘッド２４」という。）の計５個の液滴吐出ヘッドを搭載し、キャリッジ２３を主走査方向に移動させ、副走査搬送部３によって用紙５を用紙搬送方向（副走査方向）に送りながら記録ヘッド２４から液滴を吐出させて画像形成を行うシャトル型としている。
【００２９】
また、キャリッジ２３には各記録ヘッド２４に所要の色の記録液を供給するためにサブタンク２５を搭載している。一方、図１に示すように、装置本体１の前面からカートリッジ装着部２６Ａに、ブラック（Ｋ）インク、シアン（Ｃ）インク、マゼンタ（Ｍ）インク、イエロー（Ｙ）インクをそれぞれ収容した記録液カートリッジである各色のインクカートリッジ２６を着脱自在に装着でき、各色のインクカートリッジ２６から各色のサブタンク２５に図示しないチューブを介してインク（記録液）を補充供給する。なお、ブラックインクは１つのインクカートリッジ２６から２つのサブタンク２５に供給する構成としている。
【００３０】
なお、記録ヘッド２４としては、インク流路内（圧力発生室）のインクを加圧する圧力発生手段（アクチュエータ手段）として圧電素子を用いてインク流路の壁面を形成する振動板を変形させてインク流路内容積を変化させてインク滴を吐出させるいわゆるピエゾ型のもの、或いは、発熱抵抗体を用いてインク流路内でインクを加熱して気泡を発生させることによる圧力でインク滴を吐出させるいわゆるサーマル型のもの、インク流路の壁面を形成する振動板と電極とを対向配置し、振動板と電極との間に発生させる静電力によって振動板を変形させることで、インク流路内容積を変化させてインク滴を吐出させる静電型のものなどを用いることができる。
【００３１】
また、キャリッジ２３の主走査方向に沿って前側板１０１Ｆと後側板１０１Ｒとの間に、スリットを形成したリニアスケール１２８を張装し、キャリッジ２３にはリニアスケール１２８のスリットを検知する透過型フォトセンサからなるエンコーダセンサ１２９を設け、これらのリニアスケール１２８とエンコーダセンサ１２９によってキャリッジ２３の移動を検知するリニアエンコーダを構成している。
【００３２】
また、キャリッジ２３の一側面には、本発明に係る着弾位置ずれ検出用パターン（調整パターンという。）の読取りを行うための発光手段及び受光手段を含む反射型フォトセンサで構成した読取り手段（検出手段）である反射型フォトセンサからなる光学センサとしてのパターン読取りセンサ４０１を備え、このパターン読取りセンサ４０１によって後述するように搬送ベルト３１上に形成された着弾位置ずれ検出用の調整パターンを読み取る。また、キャリッジ２３の他側面には、搬送される被搬送部材の先端を検出するシート材検出手段であるシート材検知センサ（先端検知センサ）３３０を備えている。
【００３３】
さらに、キャリッジ２３の走査方向一方側の非印字領域には、記録ヘッド２４のノズルの状態を維持し、回復するための維持回復機構（装置）１２１を配置している。この維持回復機構１２１は、５個の記録ヘッド２４の各ノズル面２４ａをキャッピングするキャップ部材である、１個の保湿用を兼ねた吸引用キャップ１２２ａと、４個の保湿用キャップ１２２ｂ〜１２２ｅと、記録ヘッド２４のノズル面２４ａをワイピングするためのワイピング部材であるワイパーブレード１２４と、空吐出を行うための空吐出受け１２５とが配置されている。また、キャリッジ２３の走査方向の他方側の非印字領域には、空吐出を行うための空吐出受け１２６を配置している。この空吐出受け１２６には開口１２７ａ〜１２７ｅを形成している。
【００３４】
副走査搬送部３は、図３にも示すように、下方から給紙された用紙５を略９０度搬送方向を転換させて画像形成部２に対向させて搬送するための、駆動ローラである搬送ローラ３２とテンションローラである従動ローラ３３間に架け渡した無端状の搬送ベルト３１と、この搬送ベルト３１の表面を帯電させるために高圧電源から交番電圧である高電圧が印加される帯電手段である帯電ローラ３４と、搬送ベルト３１を画像形成部２の対向する領域でガイドするガイド部材３５と、保持部材１３６に回転自在に保持されて、用紙５を搬送ローラ３２に対向する位置で搬送ベルト３１に押し付ける加圧コロ３６、３７と、画像形成部２によって画像が形成された用紙５の上面側を押えるガイド板３８と、画像が形成された用紙５を搬送ベルト３１から分離するための分離爪３９とを備えている。
【００３５】
搬送ベルト３１は、ＤＣブラシレスモータを用いた副走査モータ１３１によって、タイミングベルト１３２及びタイミングローラ１３３を介して搬送ローラ３２が回転されることで用紙搬送方向（副走査方向）に周回するように構成している。なお、搬送ベルト３１は、例えば、図４に示すように、抵抗制御を行っていない純粋な樹脂材、例えばＥＴＦＥピュア材で形成した用紙吸着面となる表層３１Ａと、この表層３１Ａと同材質でカーボンによる抵抗制御を行った裏層（中抵抗層、アース層）３１Ｂとの２層構造としているが、これに限るものではなく、１層構造あるいは３層以上の構造でも良い。
【００３６】
また、従動ローラ３３と帯電ローラ３４との間に、搬送ベルト３１の移動方向上流側から、搬送ベルト３１の表面に付着した紙粉等を除去するためのクリーニング手段とし搬送ベルト３１表面に当接する当接部材であるＰＥＴフィルムからなるマイラ（紙粉除去手段）１９１と、同じく搬送ベルト３１表面に当接するブラシ形状のクリーニングブラシ１９２と、搬送ベルト３１表面の電荷を除去するための除電ブラシ１９３とを備えている
【００３７】
さらに、搬送ローラ３２の軸３２ａには高分解能のコードホール１３７を取り付け、このコードホイール１３７に形成したスリット１３７ａを検出する透過型フォトセンサからなるエンコーダセンサ１３８を設けて、これらのコードホイール１３７とエンコーダセンサ１３８によってロータリエンコーダを構成している。
【００３８】
給紙部４は、装置本体１に抜き差し可能で、多数枚の用紙５を積載して収納する収容手段である給紙カセット４１と、給紙カセット４１内の用紙５を１枚ずつ分離して送り出すための給紙コロ４２及びフリクションパッド４３と、給紙される用紙５をレジストするレジストローラ対４４とを有している。
【００３９】
また、この給紙部４は、多数枚の用紙５を積載して収容するための手差しトレイ４６及び手差しトレイ４６から１枚ずつ用紙５を給紙するための手差しコロ４７と、装置本体１の下側にオプションで装着される給紙カセットや両面ユニットから給紙される用紙５を搬送するための縦搬送コロ４８を備えている。給紙コロ４２、レジストローラ４４、手差しコロ４７、縦搬送コロ４８などの副走査搬送部３へ用紙５を給送するための部材は図示しない電磁クラッチを介してＨＢ型ステッピングモータからなる給紙モータ（駆動手段）４９によって回転駆動される。
【００４０】
排紙搬送部７は、副走査搬送部３の分離爪３９で分離された用紙５を搬送する３個の搬送ローラ７１ａ、７１ｂ、７１ｃ（区別しないときは「搬送ローラ７１」という。）及びこれに対向する拍車７２ａ、７２ｂ、７２ｃ（同じく「拍車７２」という。）と、用紙５を反転してフェイスダウンで排紙トレイ８へ送り出すための反転ローラ対７７及び反転排紙ローラ対７８とを備えている。また、
【００４１】
また、１枚手差し給紙を行なうために、図１にも示すように、装置本体１の一側部側に、１枚手差し給紙トレイ１４１を装置本体１に対して開閉可能（開倒可能）に設け、１枚手差しを行なうときには１枚手差し給紙トレイ１４１を仮想線図示の位置に開倒する。この１枚手差し給紙トレイ１４１からの手差し給紙される用紙５は、ガイド板１１０の上面でガイドされてそのまま副走査搬送部３の搬送ローラ３２と加圧コロ３６との間に直線的に差し込むことができる。
【００４２】
一方、画像形成が行われた用紙５をフェイスアップでストレートに排紙するため、装置本体１の他側部側にストレート排紙トレイ１８１を開閉可能（開倒可能）に設けている。このストレート排紙トレイ１８１を開く（開倒）ことで、排紙搬送部７から送り出される用紙５を直線的にストレート排紙トレイ１８１に排紙することができる。
【００４３】
次に、この画像形成装置の制御部の概要について図５のブロック図を参照して説明する。
この制御部３００は、ＣＰＵ３０１と、ＣＰＵ３０１が実行するプログラム、その他の固定データを格納するＲＯＭ３０２と、画像データ等を一時格納するＲＡＭ３０３と、装置の電源が遮断されている間もデータを保持するための不揮発性メモリ（ＮＶＲＡＭ）３０４と、画像データに対する各種信号処理、並び替え等を行なう画像処理やその他装置全体を制御するための入出力信号を処理するＡＳＩＣ３０５とを含む、この装置全体の制御を司るとともに本発明に係る調整パターンの形成、調整パターンの検出、着弾位置調整（補正）などに関わる制御を司る主制御部３１０を備えている。
【００４４】
また、この制御部３００は、ホスト側と主制御部３１０との間に介在して、データ、信号の送受を行なうための外部Ｉ／Ｆ３１１と、記録ヘッド２４を駆動制御するためのヘッドデータ生成配列変換用ＡＳＩＣなどで構成されるヘッドドライバ（実際には記録ヘッド２４側に設けられる。）を含むヘッド駆動制御部３１２と、キャリッジ２３を移動走査する主走査モータ２７を駆動するための主走査駆動部（モータドライバ）３１３と、副走査モータ１３１を駆動するための副走査駆動部（モータドライバ）３１４と、給紙モータ４９を駆動するための給紙駆動部３１５と、排紙部７の各ローラを駆動する排紙モータ７９を駆動するための排紙駆動部３１６と、帯電ベルト３４にＡＣバイアスを供給するＡＣバイアス供給部３１９と、その他図示しないが、維持回復機構１２１を駆動する維持回復モータを駆動するための回復系駆動部、両面ユニットが装着された場合に両面ユニットを駆動する両面駆動部、各種のソレノイド（ＳＯＬ）類を駆動するソレノイド類駆動部（ドライバ）と、電磁クラック類などを駆動するクラッチ駆動部と、画像読取部１１を制御するスキャナ制御部３２５とを備えている。
【００４５】
また、主制御部に３１０は、搬送ベルト３１の周囲の温度及び湿度（環境条件）を検出する環境センサ２３４などの各種検出信号を入力する。なお、主制御部３１０には、その他の図示しない各種センサの検出信号も入力されるが図示を省略している。また、主制御部３１０は、装置本体１に設けたテンキー、プリントスタートキーなどの各種キー及び各種表示器を含む操作／表示部３２７との間で必要なキー入力の取り込み、表示情報の出力を行なう。
【００４６】
また、この主制御部３１０には、前述したキャリッジ位置を検出するリニアエンコーダを構成するフォトセンサ（エンコーダセンサ）１２９からの出力信号が入力され、主制御部３１０は、この出力信号に基づいて主走査駆動部３１５を介して副走査モータ２７を駆動制御することでキャリッジ２３を主走査方向に往復移動させる。また、この主制御部３１０には、前述した搬送ベルト３１の移動量を検出するロータリエンコーダを構成するフォトセンサ（エンコーダセンサ）１３８からの出力信号（パルス）が入力され、主制御部３１０は、この出力信号に基づいて副走査駆動部３１４を介して副走査モータ１３１を駆動制御することで搬送ローラ３２を介して搬送ベルト３１を移動させる。
【００４７】
また、主制御部３１０は、搬送ベルト３１上に調整パターンを形成する処理を行い、形成した調整パターンに対し、キャリッジ２３に搭載したパターン読取りセンサ４０１の発光手段を発光させる発光駆動制御を行うとともに、受光手段の出力信号を入力して調整パターンを読取り、この読取り結果から着弾位置ずれ量を検出し、更に着弾位置ずれ量に基づいて記録ヘッド２４の液滴吐出タイミングを着弾位置ずれがなくなるように補正する制御を行う。なお、この詳細については後述する。
【００４８】
さらに、主制御部３１０は、記録ヘッド２４の維持回復動作を行うときには、維持回復機構駆動部２３８を介して維持回復機構１２１の駆動用モータ２３９を駆動制御して、キャップ１２２の昇降、ブレード（ワイパ部材）１２４の昇降などを行う。
【００４９】
このように構成した画像形成装置における画像形成動作について簡単に説明すると、搬送ベルト３１を駆動する搬送ローラ３２の回転量を検出して、この検出した回転量に応じて副走査モータ１３１を駆動制御するとともに、ＡＣバイアス供給部３１９から帯電ローラ３４に交番電圧である正負極の矩形波の高電圧を印加し、これによって、搬送ベルト３１には正と負の電荷が搬送ベルト３１の搬送方向に対して交互に帯状に印加され、搬送ベルト３１上に所定の帯電幅で帯電が行われて不平等電界が生成される。
【００５０】
そこで、用紙５が給紙部４から給紙されて、搬送ローラ３２と第１加圧コロ３６との間に送り込まれて、正負極の電荷が形成されることによって不平等電界が発生している搬送ベルト３１上へと送り込まれると、用紙５は電界の向きにならって瞬時に分極し、静電吸着力で搬送ベルト３１上に吸着され、搬送ベルト３１の移動に伴って搬送される。
【００５１】
そして、この搬送ベルト３１で用紙５を間歇的に搬送し、キャリッジ２３を主走査方向に移動しながら停止している用紙５上に記録ヘッド２４から記録液の液滴を吐出して画像を記録（印刷）し、印刷が行われる用紙５の先端側を分離爪３９で搬送ベルト３１から分離して排紙搬送部６に送り出し、排紙トレイ７に排出させる。
【００５２】
また、印字（記録）待機中にはキャリッジ２３は維持回復機構１２１側に移動されて、キャップ１２２で記録ヘッド２４のノズル面がキャッピングされて、ノズルを湿潤状態に保つことによりインク乾燥による吐出不良を防止する。また、吸引及び保湿用キャップ１２２ａで記録ヘッド２４をキャッピングした状態でノズルから記録液を吸引し、増粘した記録液や気泡を排出する回復動作を行い、この回復動作によって記録ヘッド２４のノズル面に付着したインクを清掃除去するためにワイパーブレード１２４でワイピングを行なう。また、記録開始前、記録途中などに記録と関係しないインクを空吐出受け１２５に向けて吐出する空吐出動作を行う。これによって、記録ヘッド２４の安定した吐出性能を維持する。
【００５３】
次に、この画像形成装置における液滴着弾位置ずれ補正制御に係わる部分について図６及び図７を参照して説明する。なお、図６は液滴着弾位置ずれ補正部を機能的に説明するブロック説明図、図７は同じく液滴着弾位置ずれ補正動作の説明に供する説明図である。
【００５４】
まず、キャリッジ２３には、図７及び図８にも示すように、パターン形成部材である撥水性部材である搬送ベルト３１上に形成される着弾位置ずれ検出用パターン（調整パターンというが、テストパターン、検出パターンなども同義で使用する。）４００を検知する読取り手段であるパターン読取りセンサ４０１が備えられている。なお、調整パターン４００は、図７に示す、少なくとも基準パターン４００ａと被測定パターン４００ｂとで構成される全体を意味する。
【００５５】
このパターン読取りセンサ４０１は、主走査方向と直交する方向に並ぶ、搬送ベルト３１上の調整パターン４００に対して発光する発光手段である発光素子４０２と、調整パターン５０１からの正反射光を受光する受光手段である受光素子４０３とをホルダ４０４に保持してパッケージ化したものである。なお、ホルダ４０４の出射部及び入射部にはレンズ４０５が設けられている。
【００５６】
なお、パターン読取りセンサ４０１内での発光素子４０２及び受光素子４０３は、図２に示すように、キャリッジ２３の走査方向に対して直交する方向に配置している。これにより、キャリッジ２３の移動速度変動による検出結果への影響を低減することができる。また、発光素子４０２としてはＬＥＤなど赤外領域や可視光など比較的単純かつ安価な光源を用いることできる。また、光源のスポット径（検出範囲、検出領域）は高精度のレンズを使用せずに安価なレンズを使用するためにｍｍオーダーの検出範囲となっている。
【００５７】
調整パターン形成／読取り制御手段５０１は、着弾位置ずれ補正が指示されたときには、搬送ベルト３１上に対して、キャリッジ２３を主走査方向に走査するとともに液滴吐出制御手段５０２を介して液滴吐出手段である記録ヘッド２４から液滴を吐出させて、複数の独立した液滴５００で構成されるライン状の基準パターン４００ａと被測定パターン４００ｂ（これらを調整パターン４００という。）を形成する。
【００５８】
また、調整パターン形成／読取り制御手段５０１は、搬送ベルト３１上に形成した調整パターン４００をパターン読取りセンサ４０１で読取る制御を行う。この調整パターン読取り制御は、キャリッジ２３を主走査方向に移動させながらパターン読取りセンサ４０１の発光素子４０２を発光駆動し、搬送ベルト３１上の調整パターン４００に対して発光素子４０２からの出射光を照射させる。
【００５９】
パターン読取りセンサ４０１は、搬送ベルト３１上の調整パターン４００に発光素子４０２からの射出光が照射されることで、調整パターン４００から反射される正反射光が受光素子４０３に入射され、受光素子４０３からは調整パターン４００からの正反射光の受光量に応じた検知信号が出力されて着弾位置補正手段５０５の着弾位置ずれ量演算手段５０３に入力される。
【００６０】
着弾位置補正手段５０５の着弾位置ずれ量演算手段５０３は、パターン読取りセンサ４０１の受光素子４０３の出力結果に基づいて調整パターン４００の位置を検出して基準位置に対するずれ量（液滴着弾位置ずれ量）を算出する。この着弾位置ずれ量演算手段５０３で算出された着弾位置ずれ量は吐出タイミング補正量演算手段５０４に与えられ、吐出タイミング補正量演算手段５０４は着弾位置ずれ量がなくなるように液滴吐出制御手段５０２が記録ヘッド２４を駆動するときの吐出タイミングの補正量を算出して、この算出した吐出タイミング補正量を液滴吐出制御手段５０２に設定する。これにより、液滴吐出制御手段５０２は、記録ヘッド２４を駆動するときに、補正量に基づいて吐出タイミングを補正した上で記録ヘッド２４を駆動するので、液滴着弾位置のずれが低減する。
【００６１】
ここで、パターン形成可能領域は、搬送ベルト３１上の傷や汚れ、曇りなどがなく、調整パターン４００を形成しても、高精度な読取りを行うことができる領域（正常な表面状態の領域）である。
【００６２】
ここで、パターン４００の形成とその検出原理について図９ないし図１３をも参照して説明する。
まず、図９（ｂ）に示すように、搬送ベルト３１上に複数の独立したインク滴５００でパターン４００を形成する（着弾状態ではインク滴５００は半球状となる。）。ここで、１つのインク滴５００について、図１１にも示すように、発光素子４０２からの光が照射された場合、インク滴５００に入射光６０１が当たると、インク滴５００が丸みを帯びた光沢表面であるため、大部分は拡散反射光６０２となり正反射光６０３として検出されるものは僅かとなる。
【００６３】
この場合、搬送ベルト３１の表面（ベルト表面）は光沢を帯びており、発光素子４０１からの光が照射された場合に正反射光を返し易いものとすると、搬送ベルト３１上に形成された独立した複数のインク滴５００で構成されるパターン４００を含めて読取りセンサ４０１の発光素子４０２から光を照射して走査した場合、半球状で光沢をもつインク滴５００表面にて光が拡散されるためパターン４００の部分では正反射光６０３の量が減少し、正反射光６０３を受光する受光素子４０３の出力（センサ出力電圧Ｓｏ）が相対的に小さくなる。
【００６４】
したがって、この読取りセンサ４０１のセンサ出力電圧Ｓｏに基づいて搬送ベルト３１上に形成されたパターン４００の位置を検出することができる。
【００６５】
これに対し、図１０（ｂ）に示すように、搬送ベルト３１上でインク滴が隣同士接触してつながってしまった場合、つながったインク滴５００の上面はフラット（平坦）になってしまうので、これにより正反射光６０３が増加し、同図（ａ）に示すように、センサ出力電圧Ｓｏは搬送ベルト３１面と略同様な出力値となってしまい、インク滴５００の位置を検出することが困難になる。なお、インク滴がくっついてしまった場合でも、つながったインク滴の端部では散乱光が発生するが、範囲が極めて限られるため、検出が困難であり、仮に検出しようとすると、受光素子４０３で見る面積（検出する領域）を絞り込まなければならず、搬送ベルト３１の表面の極わずかな傷やごみなどのノイズ要因に反応してしまうおそれが発生し、検出精度の低下や検出結果の信頼性が低下することになる。
【００６６】
なお、図１２に示すように、インク滴５００は時間経過とともに乾燥するため表面から光沢が失われ、更に半球形状から徐々に平らになってくるため、正反射光６０３が生じる範囲及び割合が拡散反射光６０２に対して相対的に多くなり、搬送ベルト３１の表面から反射光と区別がつかなくなる。したがって、正反射光６０３を受光素子４０３で受光するとき、図１３に示すように、時間の経過と共にセンサ出力電圧Ｓｏは搬送ベルト３１面からの反射光を受光したときの出力電圧に近づくことになり、時間の経過と共に検知精度が低下することになるので、パターン４００を形成した後インク滴５００が平坦になる前にパターン４００の検出を行うことが好ましい。
【００６７】
このように、インク滴からの正反射光を受光する受光手段からの出力の内の正反射光が減衰している部分を判別することによって、パターンを検出するので、高精度に検出することができる。そして、この場合、パターン４００としては、パターン読取りセンサ４０１の検出領域内で、独立した複数の液滴で構成されていることが好ましい。さらにいえば、インク滴は密集している（検出領域内で液滴の付着面積に対して液滴間の面積が小さい）ことが好ましい。
【００６８】
ここでは、液滴の特有の性質の上に立って、パターンを形成する部材として、撥水性を有する搬送ベルト上に、独立した複数の液滴で構成されるパターンを形成することによって、パターンからの正反射光の受光量の変化でパターンを高精度に検出でき、その結果、高精度にギャップ偏差を検出することができるようになる。
【００６９】
次に、搬送ベルト３１上に形成したパターン４００の位置検出処理及びパターン４００ａ、４００ｂ間の距離算出処理の異なる例について図１４ないし図１６を参照して説明する。
図１４に示す第１例において、図１４（ａ）に示すように搬送ベルト３１上に基準パターン４００ａと４００ｂが形成されているとき、これをセンサ走査方向（キャリッジ主走査方向）にパターン読取りセンサ４０１で走査することにより読み取ると、パターン読取りセンサ４０１の受光素子４０３の出力結果から、同図（ｂ）に示すように、基準パターン４００ａと被測定パターン４００ｂで立ち下がるセンサ出力電圧Ｓｏが得られる。
【００７０】
そこで、このセンサ出力電圧Ｓｏと予め定めた閾値Ｖｒとを比較することで、センサ出力電圧Ｓｏが閾値Ｖｒを下回った位置を基準パターン４００ａ、被測定パターン４００ｂのエッジとして検出することができる。このとき、閾値Ｖｒとセンサ出力電圧Ｓｏとで囲まれた領域（図に斜線を施して示す部分）の面積重心を算出し、この面積重心をパターン４００ａ、４００ｂの中心とすることができ、重心を用いることによって、センサ出力電圧の微小な振れによる誤差を低減することができる。
【００７１】
図１５に示す第２例においては、第１例と同様な基準パターン４００ａ、被測定パターン４００ｂをパターン読取りセンサ４０１で走査することにより、図１５（ａ）に示すようなセンサ出力電圧Ｓｏが得られる。センサ出力電圧Ｓｏの立ち下がり部分を拡大したものを図１５（ｂ）に示している。
【００７２】
ここで、センサ出力電圧Ｓｏの立下り部分について、図１５（ｂ）の矢示Ｑ１方向に探索して、センサ出力電圧Ｓｏが下限閾値Ｖｒｄを切る（以下になる）点を点Ｐ２として記憶する。次に、点Ｐ２より矢示Ｑ２方向に探索して、センサ出力電圧Ｓｏが上限閾値Ｖｒｕを超える点を点Ｐ１として記憶する。そして、点Ｐ１と点Ｐ２の間の出力電圧Ｓｏより回帰直線Ｌ１を算出し、求めた回帰直線式を用いて、回帰直線Ｌ１と上下閾値の中間値Ｖｒｃとの交点を算出し交点Ｃ１とする。同様にして、センサ出力電圧Ｓｏの立上り部分について回帰直線Ｌ２を算出し、回帰直線Ｌ２と上下閾値の中間値Ｖｒｃとの交点を算出し交点Ｃ２とする。そして、交点Ｃ１と交点Ｃ２との中間点から、（交点Ｃ１＋交点Ｃ２）／２にてラインセンタＣ１２を算出する。
【００７３】
図１６に示す第３例においては、図１６（ａ）に示すように、第１例と同様に搬送ベルト３１上に形成された基準パターン４００ａ、被測定パターン４００ｂを形成し、これを主走査方向にパターン読取りセンサ４０１で走査することにより、図１６（ｂ）に示すようなセンサ出力電圧（光電変換出力電圧）Ｓｏが得られる。
【００７４】
このとき、例えば、ＩＩＲフィルタで高調波ノイズを除去する処理を行い、次いで検出信号の品質評価（欠落、不安定、余剰の有無）を行い、閾値Ｖｒ近傍の傾斜部を検出して回帰曲線を算出する。そして、回帰曲線と閾値Ｖｒとの交点ａ１、ａ１、ｂ１、ｂ２を算出し（実際には位置カウンタで演算する。）、交点ａ１、ａ２の中間点Ａ、交点ｂ１、ｂ２の中間点Ｂを演算する。
【００７５】
次に、この画像形成装置における調整パターン４００を構成する着弾位置ずれを検出する最小単位（基本パターンともいう。）について図１８を参照して説明する。
前述したようにこの画像形成装置における着弾位置ずれ補正方法では、基準となる記録ヘッド（色）で搬送ベルトの送り方向にライン状のパターンを送り方向と直交する方向に形成し、その他の記録ヘッド（色）を一定間隔で同様なライン状のパターンを形成して、基準ヘッドとの距離を算出（計測）する。
【００７６】
ここで、最小項目ごとの基本パターンとしては、図１７（ａ）に示すように、往路（第１スキャン）時における記録ヘッド２４ｋ１で形成する基準パターンＦＫ１を基準として記録ヘッド２４ｋ２で形成する被測定パターンＦＫ２の着弾位置ずれを検出するパターンと、同図（ｂ）に示すように復路（第２スキャン）時における記録ヘッド２４ｋ１で形成する基準パターンＢＫ１を基準として記録ヘッド２４ｋ２で形成する被測定パターンＢＫ２の着弾位置ずれを検出するパターン、同図（ｃ）に示すように往路（第３スキャン）時における記録ヘッド２４ｋ１で形成する基準パターンＦＫ１を基準として、記録ヘッド２４ｃ、２４ｍ、２４ｙでそれぞれ形成する各色（Ｃ，Ｍ，Ｙ）の被測定パターンＦＣ、ＦＭ、ＦＹの着弾位置ずれを検出するパターン、同図（ｄ）に示すように復路（第４スキャン）時における記録ヘッド２４ｋ１で形成する基準パターンＦＫ１を基準として、記録ヘッド２４ｃ、２４ｍ、２４ｙでそれぞれ形成する各色（Ｃ，Ｍ，Ｙ）の被測定パターンＦＣ、ＦＭ、ＦＹの着弾位置ずれを検出するパターン、の４種類のパターンを最小基本項目毎のブロックパターン（基本パターン）として、このブロックパターンの組合せによって多様な検出内容を得る調整パターンを構成する。
【００７７】
特に、この上述した画像形成装置においては、ブラックを吐出する２つの記録ヘッド２４ｋ１、２４ｋ２を備えていることから、１つの記録ヘッドの双方向印字における着弾位置ずれだけでなく、２つの記録ヘッド２４ｋ１、２４ｋ２間で着弾位置ずれが生じる可能性があることから、記録ヘッド２４ｋ１で形成するパターンＦＫ１を基準として記録ヘッド２４ｋ２で形成するパターンＦＫ２の着弾位置ずれを検出するパターンも備えている。
【００７８】
次に、このブロックパターンによるモノクロ罫線ずれの調整パターン及びカラー色ずれの調整パターンについて図１８及び図１９を参照して説明する。
図１８に示す罫線ずれ調整パターン４００Ｂは、基準方向（往路とする）のパターンＦＫ１の位置を基準にして（パターンＫ１を基準パターンとして）決められた間隔で復路のパターンＢＫ１、往路のパターンＦＫ１、復路のパターンＢＫ２（これらが被測定パターンとなる。）を印字することで、これらのパターンＦＫ１、ＢＫ１、ＦＫ１、ＢＫ２の各位置情報から基準パターンであるパターンＫ１に対しての着弾位置ずれを検出することができる。なお、センサ走査方向（読取り方向）は片方向だけで読取る場合の例を示している。
【００７９】
図１９（ａ）、（ｂ）に示すカラー色ずれ調整パターン４００Ｃ１、４００Ｃ２は、基準となる色（ここでは、記録ヘッド２４ｋ１によるパターンＦＫ１が基準パターンとなる。）に対して規定間隔でそれぞれ各カラーのパターンＦＹ、ＦＭ、ＦＣ（これらが被測定パターンとなる。）を印字して、パターンＦＫ１とＦＹ、ＦＫ１とＦＭ、ＦＫ１とＦＣの着弾位置を検出することで、基準パターンＦＫ１に対する各色の着弾位置を検出することができる。なお、センサ走査方向（読取り方向）は片方向だけで読取る場合の例を示している。
【００８０】
次に、調整パターンの具体的な形成例について図２０を参照して説明する。
まず、キャリッジ２３の走査方向は、図２に示すように装置背面側から装置正面側に向かう方向を往路方向、装置正面側から装置背面側に向かう方向を復路方向とし、キャリッジ２３には往路方向下流側（装置正面側）から記録ヘッド２４ｃ、２４ｋ１、２４ｋ２、２４ｍ、２４ｙの順に配置されているものとする。
【００８１】
そして、この例では、搬送ベルト３１の両端部側に罫線位置ずれ調整パターン４００Ｂ１、４００Ｂ２を形成し、搬送ベルト３１の中央部分に色ずれ調整パターン４００Ｃ１、４００Ｃ２を形成している。つまり、この例では、ブロックパターンは搬送ベルトの送り方向と直交する方向での印字領域の幅内に複数個配列されるようにしている。なお、このとき、搬送ベルト３１上に直接印字するためベルト面上の凹凸が大きい部分（特に被記録媒体を分離する分離爪３９が搬送ベルト３１と当接している箇所）を除いたところに配置するようにしている。
【００８２】
そして、パターン読取りセンサ４０１による読取りは、各調整パターン４００Ｂ、４００Ｃ毎に印字しその後複数回行う。この場合、読取り方向は片方向（同一方向）での複数回読取り、または双方向で複数回読取りを行うことができる。
【００８３】
そこで、主制御部３１０によって実行される液滴着弾位置ずれ調整（補正）処理について図２１のフロー図を参照して説明する。
この処理がエントリイされると、前処理１として搬送ベルト３１のクリーニングを実施し、更に前処理２としてパターン読取りセンサ４０１のキャリブレーションを実施し、キャリッジ２３で走査されるパターン読取りセンサ４０１（発光素子４０２、受光素子４０３）の正反射の出力レベルが搬送ベルト３１面上で一定値になるように発光素子４０２の出力を調整する。
【００８４】
その後、キャリッジ２３を主走査方向に往路走査しながら各記録ヘッド２４から液滴を吐出して、調整パターン４００のうちの往路で形成すべきパターンを形成し、次いで、復路走査しながら各記録ヘッド２４から液滴を吐出して、調整パターン４００のうちの復路で形成すべきパターンを形成する。
【００８５】
その後、パターン読取りセンサ４０１の発光素子４０２を発光させた状態で、キャリッジ２３を主走査方向に往路走査して調整パターン４００を読取り、調整パターン４００の位置から着弾位置ずれ量を検出する。なお、この場合調整パターン４００の位置をキャリッジ２３の位置を検出するリニアエンコーダ１２９によるアドレス（位置情報）を用いて特定することで、正規の距離に対するずれ量を求めて、着弾位置ずれ量を算出してもよいし、あるいは、パターン間の時間とキャリッジ速度に基づいてパターン間の距離を算出して正規の距離に対するずれ量を求めて、着弾位置ずれ量を算出してもよい。
【００８６】
そして、パターン読取りセンサ４０１による読取り値が正常であるか否かを判別し、正常であれば、Ｎ回の読取りを行うか否かを判別して、Ｎ回の読取りを行う場合には読取り処理に戻る。つまり、ここでは、往路方向での読取りをＮ回繰り返して行う。Ｎ回の読取が完了した場合には、キャリッジ２３の往路と復路とのずれ量（往復ずれ量）を紙厚分の補正を行ったずれ量から印字吐出タイミングの補正値を算出し、算出した液滴吐出タイミングの補正値によって印字吐出タイミングを補正する。その後、後処理として、搬送ベルト３１の表面を清掃するクリーニングを実施する。
【００８７】
なお、パターン読取りセンサ４０１による読取り値が正常でない場合には、リトライが１回目か否か判別し、リトライが１回目であれば再度調整パターン４００の読取りを行い、リトライが１回目でなければリトライがｎ回か否かを判別し、リトライがｎ回でなければ再度調整パターン４００の形成処理に戻り、リトライがｎ回になったときには、後処理として、搬送ベルト３１の表面を清掃するクリーニングを実施してエラー処理に移行する。
【００８８】
このように、パターン形成部材としての撥水性を有する撥水性部材である搬送ベルト上に、独立した複数の液滴で構成され、着弾位置ずれを検出する最小項目毎のブロックパターンからなる基準パターンと被測定パターンで構成される調整用パターンを形成し、この調整パターンに光を照射して調整パターンからの正反射光を受光して調整パターンを読取り、調整パターンの読取り結果に基づいて着弾位置ずれ量を求めて、記録ヘッドから吐出される液滴の着弾位置を補正することによって、液滴の着弾位置を簡単な構成で高精度に検出して、液滴着弾位置ずれを高精度に補正することができる。
【００８９】
次に、本発明におけるパターン読取りセンサ４０１のキャリッジ２３への取り付け構造について図２２以降をも参照して説明する。
先ず、パターン読取りセンサ４０１（以下では「反射型光学センサ４０１」として説明する。）の具体的構成の一例について図２２及び図２３を参照して説明する。なお、図２２はセンサ基板部の外観斜視説明図、図２３はセンサ全体の外観斜視説明図である。
反射型光学センサ４０１は、図２２に示すように、板状の保持部材としてのセンサ基板４５１に、発光素子４０２としてのＬＥＤ及び受光素子としてのフォトダイオード４０３（センサ部）が搭載されてセンサ筐体４５２にて余分な外光が入らないように覆われている。センサ筐体４５２には射出光及び入射光を透過するセンサレンズ４５３が設けられている。また、センサ基板４５１には発光素子及び受光素子との電気的接続を行うためのコネクタ４５４が備えられている。
【００９０】
そして、図２３に示すように、センサ基板４５１を覆うセンサカバー４５６を取り付けている。このセンサカバー４５６にはセンサレンズ４５３側を維持回復機構１２１のキャップ１２２が接触できるよう平坦なキャップ接触面４５７としており、更にセンサレンズ部分のみのぞき穴４５８を設けている。なお、ここでは、センサ筐体４５２にキャップ１２２の押し当て力が直接加わらないようにセンサカバー４５６を別体として設けているが、センサ筐体４５２に十分な強度を持たせるようにすればセンサ筐体４５２をセンサカバーとして兼用する構成とすることもできる。
【００９１】
この反射型光学センサ４０１は、図２４にも示すように、キャリッジ２３の走査方向の側壁面２３０に締結部材４５９で固定される。ここで、図２５に示すように、キャリッジ２３の側壁面２３０に対する反射型光学センサ４０１の取付け角度θを、側壁面２３０と平行な位置を取り付け角度θ＝０とし、取付け角度θとセンサ出力（出力電圧）との関係について、入力抵抗１７７Ωの反射型フォトセンサンを用いて評価した結果を図２６に示している。
【００９２】
この図２６から分かるように、「３σ」を考慮すると、最も出力電圧が高い、つまり、感度が高いのは、取付け角度θ＝＋１〜２°となっている。つまり、搬送ベルト３１表面に対して直角（垂直）方向で発光及び受光するよりも、僅かに角度を付けた方が、より検知感度が高いことを示している。なお、同様のセンサ今回評価した光反射センサは、電子写真方式の画像形成装置における色ずれ調整装置で「トナー像」を検知する場合に用いても同様の結果、即ち検出面に対して僅かに傾けて発光及び受光を行うようにした方が、感度が高いことが判明している。
【００９３】
一方、キャリッジ２４は樹脂の射出成型で形成する。射出成型においては、図２７及び図２８に示すように、型の抜き方向を互いに直角とすることが一般的であり、これは型の合わせ精度、ひいては部品精度向上のためである。ここで、反射型光学センサ４０１の取り付け角度を優先し、所定の角度θ分だけ傾斜させて、抜く型構成とすることも可能ではあるが、この場合には、その他の形状、例えばガイドロッド２１が貫通する軸受穴やキャリッジ２３の姿勢を決めるスライダ摺動面などの重要寸法の公差が拡大してしまうことになる。
【００９４】
そこで、反射型光学センサを射出成型で形成された樹脂製キャリッジの側壁面に略平行（略平行とは僅かに角度がついた状態を意味する。）に取り付ける本発明の第１実施形態におけるセンサ取付け構造について図２９を参照して説明する。なお、図２９は同センサ構造の説明に供するキャリッジ側壁面の要部斜視説明図である。
キャリッジ２３の側壁面２３０には、反射型光学センサ４０１の鉛直方向の傾きを規定する２個の第１の突起部２３１、２３１と、１個の第２の突起部２３２とが設けられている。第１の突起部２３１、２３１は検出面を基準として同じ高さ位置に設けられ、第２の突起部２３２は検出面を基準として突起部２３１よりも高い位置に設けられている。つまり、キャリッジ２３の側壁面２３０において、２個の第１の突起部２３１は下側（搬送ベルト３１側、或いはヘッドノズル面側の意味）に、第２の突起部２３１は上側にそれぞれ設けられ、側壁面２３０に向かって見て、２つの第１の突起部２３１、２３１と１個の第２の突起部２３２は、第２の突起部２３２を最も上側とする三角形状をなすように配置されている。
【００９５】
ここで、第１の突起部２３１の高さ（キャリッジ側壁面２３０からの高さ）は全く同じ高さであり、これにより反射型光学センサ４０１の光路（発光〜受光ライン）は、キャリッジ２３の内部に固定される記録ヘッド２４と平行に保たれる。また、第２の突起部２３２は、第１の突起部２３１の高さよりキャリッジ側壁面２３０からの高さが高い第１部分２３２ａと、この第１部分２３２ａより同じく高さが低い第２部分２３２ｂとを有し、第２部分２３２ｂに反射型光学センサ４０１を固定する締結部材（ねじ）４５９を螺着するネジ孔２３４が設けられている。
【００９６】
これにより、３点の第１、第２の突起部２３１、２３２に反射型光学センサ４０１のセンサ基板４５１を突き当てた状態で、第２の突起部２３２に設けられたネジ孔２３４にセンサ基板４５１の貫通穴４５１ｃを通じてネジ４５９を締めることによって、反射型光学センサが実装されたセンサ基板４０１は、キャリッジ２３の側壁面２３０に対して僅かに斜めに固定されて取付けられる。
【００９７】
なお、キャリッジ２３の側壁面２３０にはセンサ基板４５１を位置決めするボス部２３５、２３５が設けられ、反射型光学センサ４０１のセンサ基板４５１には一方のボス部２３５に嵌合する位置決め穴４５１ａが、他方のボス部２３５に係合する切り欠き部４５１ｂが形成され、これらによってセンサ基板４５１の位置決めを行っている。
【００９８】
このように、光学センサの鉛直方向の傾きを規定する少なくとも２個の第１の突起部及び１個の第２の突起部が設けられ、少なくとも２個の第１の突起部が被記録媒体の搬送面を基準として同じ高さ位置に、第２の突起部は第１の突起部よりも高い位置にそれぞれ配置され、第２の突起部は、キャリッジの側壁面からの高さが第１の突起部のキャリッジの側壁面からの高さよりも高い第１部分と、この第１部分よりも高さの低い第２部分とを有し、かつ、第２部分には光学センサを固定する締結部材を装着するネジ孔を有している構成とすることで、樹脂による射出成型で形成されるキャリッジの側壁面に、簡易な構造で、反射型光学センサを検出面に垂直な方向に対して僅かに角度を持たせて取付けられるようになる。
【００９９】
次に、本発明の第２実施形態におけるセンサ取付け構造について図３０ないし図３２を参照して説明する。なお、図３０は同センサ構造の説明に供するキャリッジ側壁面の要部斜視説明図、図３１は同センサ構造の説明に供するキャリッジ側壁面のセンサ基板を取り付けた状態の側面説明図、図３２は同じくセンサ基板を取り付ける前の状態の側面説明図である。
ここでは、第２の突起部２３２の第１の部分２３２ａは、弦と弧で形成された弓形形状としている。このように構成しても、前記第１実施形態と同様の作用効果が得られる。
【０１００】
また、第２の突起部２３２は、２個の第１の突起部２３１、２３１からの距離が同じになる位置に設けられている。これにより、第２の突起部２３２にネジ２４９を締めたときに、センサ基板４５１が第１の突起部２３１、２３１に押し付けられる力を均等にすることができ、センサ基板４５１の撓みを低減することができ、センサ固定精度が更に向上する。
【０１０１】
また、第２の突起部２３２にネジ孔２３４を設けることで、反射型光学センサ４０１のセンサ基板４５１のセンサ部４５２から離れた部分を第２の突起部２３２に固定することができる。これにより、ネジ２４９を締めたときに発生するセンサ基板４５１の撓みの影響がセンサ実装部（センサ部４５２）に及びにくくなり、センサ固定精度がさらに向上する。
【０１０２】
また、２箇所の第１の突起部２３１、２３１の配置位置は、センサ基板４５１のセンサ部４５２の両側部分が第１の突起部２３１、２３１に当接する位置としている。これにより、ネジ２４９を締めたときに発生するセンサ基板４５１の撓みの影響がセンサ実装部（センサ部４５２）に及びにくくなり、センサ固定精度がさらに向上する。
【０１０３】
次に、本発明の第３実施形態におけるセンサ取付け構造について図３３を参照して説明する。なお、図３３は同センサ構造の説明に供するキャリッジ側壁面の要部斜視説明図である。
ここでは、第１の突起部２３１として、センサ基板４５１と当接する先端部２３１ａをＲ形状としたリブを用いている。この例では、Ｒ形状の最上点が線接触でセンサ基板４５１に当接する。これにより、第２の突起部２３２にネジ４５９が締められてセンサ基板４５１が斜めに固定されても、第１の突起部２３１との接触点はリブの頂点となり、センサ固定精度がさらに向上する。
【０１０４】
次に、本発明の第４実施形態におけるセンサ取付け構造について図３４を参照して説明する。なお、図３４は同センサ構造の説明に供するキャリッジ側壁面の要部斜視説明図である。
ここでは、第１の突起部２３１として、センサ基板４５１と当接する先端部２３１ｂを微小な平坦面形状としたリブを用いている。この例ではキャリッジの検査が容易になる。
【０１０５】
次に、本発明の第５実施形態におけるセンサ取付け構造について図３５を参照して説明する。なお、図３５は同センサ構造の説明に供するキャリッジ側壁面の要部斜視説明図である。
ここでは、第１の突起部２３１として、センサ基板４５１と当接する先端部２３１ｃを半球形状とした円柱状ボス（ピン）を用いている。この例でも、第２の突起部２３２にネジ４５９が締められてセンサ基板４５１が斜めに固定されても、第１の突起部２３１との接触点はリブの頂点となり、センサ固定精度がさらに向上する。また、２点でセンサ基板４５１を受けることが可能となり、よりセンサ基板４５１の角度精度が高まる。
【０１０６】
次に、本発明の第６実施形態におけるセンサ取付け構造について図３６を参照して説明する。なお、図３６は同センサ構造の説明に供するキャリッジ側壁面の要部斜視説明図である。
ここでは、第１の突起部２３１として、センサ基板４５１と当接する先端部２３１ｄをテーパ形状とした円柱状ボス（ピン）を用いている。この例では、センサ基板４５１側にボス径より小さな径の貫通穴を設けることで位置決めを行うことができ、別途位置決め用のボスが不要になってコストの低減を図れる。また、嵌め合いガタがゼロになるため、センサ基板の位置精度を向上することができる。
【０１０７】
次に、本発明の第７実施形態におけるセンサ取付け構造について図３７及び図３８を参照して説明する。なお、図３７は同センサ構造の説明に供するキャリッジ側壁面の説明図、図３８は図３７の側面説明図である。
ここでは、上記第５実施形態のように、第１の突起部２３１として半球状の先端部２３１ｃを有するものを用い、センサ基板４５１には第１の突起部２３１の半球状の先端部２３１ｃの直径よりも小さい貫通穴４５１ｄを形成し、センサ基板４５１の貫通穴４５１ｄ内に第１の突起部２３１の先端部２３１ｃの一部が入り込むようにしている。
【０１０８】
これによって、センサ基板４５１の位置決めを行うことができ、別途位置決め用のボスが不要になってコストの低減を図れる。また、嵌め合いガタがゼロになるため、センサ基板の位置精度を向上することができる。
【０１０９】
次に、本発明の第８実施形態におけるセンサ取付け構造について図３９を参照して説明する。なお、図３９は同センサ構造の説明に供するキャリッジ側壁面の断面斜視説明図である。
ここでは、上記第６実施形態のように、第１の突起部２３１としてテーパ形状の先端部２３１ｄを有するものを用い、センサ基板４５１には第１の突起部２３１のボス径よりも小さい貫通穴４５１ｄを形成し、センサ基板４５１の貫通穴４５１ｄ内に第１の突起部２３１の先端部２３１ｄの一部が入り込むようにしている。
【０１１０】
これによって、センサ基板４５１の位置決めを行うことができ、別途位置決め用のボスが不要になってコストの低減を図れる。また、嵌め合いガタがゼロになるため、センサ基板の位置精度を向上することができる。
【０１１１】
次に、本発明の第９実施形態におけるセンサ取付け構造について図４０及び図４１を参照して説明する。なお、図４０は同センサ構造の説明に供する側面説明図、図４１は同じく要部拡大側面説明図である。
ここでは、第２の突起部２３２のセンサ基板４５１と当接する第１の部分２３２ａの当接面２３２ａ１をキャリッジ２３の側壁面２３０に対して平行でないテーパ形状に形成している。これにより、センサ基板４５１を第２の突起部２３２に固定することで、キャリッジ２３の側壁面２３０に対して斜めに取り付けた場合よりも、センサの感度が高くなり、検出精度が高くなる。
【０１１２】
なお、上記実施形態におけるパターン形成に関する構成は、搬送ベルトだけでなく、撥水性を有するシート材を用いる場合にも適用できる。更に、撥水性を有しないシート材に対して従前のパターンを形成して光学センサで読取る場合にも適用できる。その他、着弾位置ずれ以外の検出、例えば被記録媒体の先端などの検知を行う光学センサの取り付け構造にも適用することができる。
【図面の簡単な説明】
【０１１３】
【図１】本発明を適用した画像形成装置の一例の全体構成を示す概略構成図である。
【図２】同装置の画像形成部及び副走査搬送部の平面説明図である。
【図３】同じく一部透過状態で示す正面説明図である。
【図４】搬送ベルトの一例を示す断面説明図である。
【図５】同じく制御部の概要を説明するブロック図である。
【図６】同装置における液滴着弾位置検出及び液滴着弾位置補正に係わる部分を機能的に示すブロック説明図である。
【図７】同じくその説明に供する説明図である。
【図８】パターン読取りセンサの説明図である。
【図９】搬送ベルトでのパターンの形成及びその検出の原理の説明に供する説明図である。
【図１０】比較例におけるパターンの説明に供する説明図である。
【図１１】パターン検出の原理の説明に供する液滴からの光が拡散する様子を示す説明図である。
【図１２】同じく液滴が平坦化した場合に光が拡散する様子を示す説明図である。
【図１３】同じく液滴着弾からの経過時間とセンサ出力電圧変化の関係の説明に供する説明図である。
【図１４】調整パターン位置検出処理の第１例の説明に供する説明図である。
【図１５】調整パターン位置検出処理の第２例の説明に供する説明図である。
【図１６】調整パターン位置検出処理の第３例の説明に供する説明図である。
【図１７】ブロックパターン（基本パターン）の説明に供する説明図である。
【図１８】罫線ずれ調整パターンの説明図である。
【図１９】色ずれ調整パターンの説明図である。
【図２０】調整パターンの形成位置の説明に供する説明図である。
【図２１】液滴着弾位置ずれ補正処理の説明に供するフロー図である。
【図２２】パターン読取りセンサの具体例を示すセンサ基板部分の斜視説明図である。
【図２３】同じくパターン読取りセンサの外観斜視説明図である。
【図２４】センサを取り付けた状態のキャリッジの斜視説明図である。
【図２５】センサの取付け角度の説明に供する説明図である。
【図２６】センサの取付け角度と出力電圧の関係の説明に供する説明図である。
【図２７】キャリッジの射出成型における型抜きの説明に供する平面説明図である。
【図２８】同じく正面説明図である。
【図２９】本発明の第１実施形態におけるセンサ取付け構造の説明に供するキャリッジ側壁面の要部斜視説明図である。
【図３０】本発明の第２実施形態におけるセンサ取付け構造の説明に供するキャリッジ側壁面の側面説明図である。
【図３１】同じくキャリッジ側壁面のセンサ基板を取り付けた状態の側面説明図である。
【図３２】同じくセンサ基板を取り付ける前の状態の側面説明図である。
【図３３】本発明の第３実施形態におけるセンサ取付け構造の説明に供するキャリッジ側壁面の要部斜視説明図である。
【図３４】本発明の第４実施形態におけるセンサ取付け構造の説明に供するキャリッジ側壁面の要部斜視説明図である。
【図３５】本発明の第５実施形態におけるセンサ取付け構造の説明に供するキャリッジ側壁面の要部斜視説明図である。
【図３６】本発明の第６実施形態におけるセンサ取付け構造の説明に供するキャリッジ側壁面の要部斜視説明図である。
【図３７】本発明の第７実施形態におけるセンサ取付け構造の説明に供するキャリッジ側壁面の説明図である。
【図３８】図３７の側面説明図である。
【図３９】本発明の第８実施形態におけるセンサ取付け構造の説明に供するキャリッジ側壁面の断面斜視説明図である。
【図４０】本発明の第９実施形態におけるセンサ取付け構造の説明に供する側面説明図である。
【図４１】同じく要部拡大側面説明図である。
【符号の説明】
【０１１４】
１…装置本体
２…画像形成部
３…副走査搬送部
４…給紙部
５…用紙（被記録媒体）
６…排紙搬送部
８…排紙トレイ
７…画像読取部
２３…キャリッジ
２４…記録ヘッド
２７…主走査モータ
３１…搬送ベルト
３２…搬送ローラ
１２１…維持回復機構
２３０…キャリッジの側壁面
２３１…第１の突起部
２３２…第２の突起部
２３２ａ…第１の部分
２３２ｂ…第２の部分
２３４…ネジ孔
４００…調整パターン
４０１…パターン読取りセンサ（読取り手段、反射型光学センサ）
４０２…発光素子
４０３…受光素子
４５１…センサ基板（保持部材）
４５２…センサ筐体（センサ部）
【図１】
0005043614.tif 000002
【図２】
0005043614.tif 000003
【図３】
0005043614.tif 000004
【図４】
0005043614.tif 000005
【図５】
0005043614.tif 000006
【図６】
0005043614.tif 000007
【図７】
0005043614.tif 000008
【図８】
0005043614.tif 000009
【図９】
0005043614.tif 000010
【図１０】
0005043614.tif 000011
【図１１】
0005043614.tif 000012
【図１２】
0005043614.tif 000013
【図１３】
0005043614.tif 000014
【図１４】
0005043614.tif 000015
【図１５】
0005043614.tif 000016
【図１６】
0005043614.tif 000017
【図１７】
0005043614.tif 000018
【図１８】
0005043614.tif 000019
【図１９】
0005043614.tif 000020
【図２０】
0005043614.tif 000021
【図２１】
0005043614.tif 000022
【図２２】
0005043614.tif 000023
【図２３】
0005043614.tif 000024
【図２４】
0005043614.tif 000025
【図２５】
0005043614.tif 000026
【図２６】
0005043614.tif 000027
【図２７】
0005043614.tif 000028
【図２８】
0005043614.tif 000029
【図２９】
0005043614.tif 000030
【図３０】
0005043614.tif 000031
【図３１】
0005043614.tif 000032
【図３２】
0005043614.tif 000033
【図３３】
0005043614.tif 000034
【図３４】
0005043614.tif 000035
【図３５】
0005043614.tif 000036
【図３６】
0005043614.tif 000037
【図３７】
0005043614.tif 000038
【図３８】
0005043614.tif 000039
【図３９】
0005043614.tif 000040
【図４０】
0005043614.tif 000041
【図４１】
0005043614.tif 000042